(57)【要約】【課題】            取り付けの際、工事作業者が両面の誘導灯装置を片面のものと間違って、両面の誘導灯装置の表面の表示部のみ取り付けて背面の表示部を取り付けないで設置するなど、取り付け作業を誤る問題があった。【解決手段】        天井等の取付面に固定するための被取付部１２が設けられた枠部３を有し、この枠部３の表面側を開口させるとともに、背面側に被取付部１２側を開口させて背面板４を設けた器具本体１と、導光体とこの導光体の側部から光を照射する光源部１４ａを有し枠部３とほぼ同じ大きさで器具本体１の表面側に取り付けられる表面表示手段２ａと、導光体とこの導光体の側部から光を照射する光源部１４ｂを有し枠部３とほぼ同じ大きさで器具本体１の背面板側に取り付けられる背面表示手段２ｂと、器具本体１に収納され光源部１４を点灯させる電気的部品を有する点灯手段７とを備えた。【選択図】          図１
2005077800.tif 000002
【特許請求の範囲】
【請求項１】
天井等の取付面に固定するための被取付部が設けられた枠部を有し、この枠部の表面側を開口させるとともに、背面側に前記被取付部側を開口させて背面板を設けた器具本体と、導光体とこの導光体の側部から光を照射する光源部を有し前記枠部とほぼ同じ大きさで前記器具本体の表面側に取り付けられる表面表示手段と、導光体とこの導光体の側部から光を照射する光源部を有し前記枠部とほぼ同じ大きさで器具本体の背面板側に取り付けられる背面表示手段と、前記器具本体に収納され前記光源部を点灯させる電気的部品を有する点灯手段と、を備えたことを特徴とする表示装置。
【請求項２】
前記器具本体の背面の前記被取付部側と反対側を開口させて前記背面板を備えたことを特徴とする請求項１記載の表示装置。
【請求項３】
天井等の取付面に固定するための被取付部が設けられた枠部とこの枠部の表面側と背面側をともに前記枠部とほぼ同じ大きさで開口させた器具本体と、導光体とこの導光体の側部から光を照射する光源部を有し前記器具本体の表面側と背面側を前記枠部とほぼ同じ大きさで閉塞する表面と背面の表示手段と、前記器具本体に収納され前記光源部を点灯させる電気的部品を有する点灯手段と、を備えたことを特徴とする表示装置。
【請求項４】
請求項１ないし３の何れかに記載の表示装置における表面表示手段および背面表示手段に避難誘導のための図柄を配したことを特徴とする誘導灯装置。
【発明の詳細な説明】
【技術分野】
【０００１】
この発明は、取り付け作業効率を改善しかつ低コストの表示装置及び誘導灯装置に関する。
【背景技術】
【０００２】
従来の誘導灯装置は、枠部の少なくとも表面に開口部が形成され内部に電気部品収納部が形成された器具本体と、導光体、光源、器具本体の開口部とほぼ同じ大きさで開口部を閉塞する表面の表示部と、導光体、光源、器具本体の背面板とほぼ同じ大きさで背面板に取り付けられる背面の表示部と、点灯手段とを備え、電気部品収納部に電気部品を収納しても陰になることがなく電気部品の配置の自由度が大きくなるようにしている（例えば特許文献１参照）。
【０００３】
【特許文献１】特許第３２４６５５５号公報（段落０００８−００２５、図１）
【発明の開示】
【発明が解決しようとする課題】
【０００４】
しかしながら、従来の誘導灯装置では、背面板の大きさが器具本体背面とほぼ同じ大きさであるため、両面の誘導灯装置において背面の表示板を取り付けない状態では片面の誘導灯装置と外観上ほとんど差が無い。このため、取り付けの際、工事作業者が両面の誘導灯装置を片面のものと間違って、両面の誘導灯装置の表面の表示部のみ取り付けて背面の表示部を取り付けないで設置するなど、取り付け作業を誤る問題があった。また、枠部上方にある被取付部を固定する際、枠部が薄い場合にあっては取り付け作業スペースが少なく、作業性がよくなかった。また、背面板が背面の表示部の光源部まで塞いでいるため放熱空間が小さく、特に発熱量の多い光源の電極部にシリコンスポンジを装着するなど放熱対策が必要であった。
【０００５】
この発明は上記のような問題点を解消するためになされたもので、取り付け作業のミスをより少なくしかつ低コストの表示装置および誘導灯装置を提供することを目的とする。
【課題を解決するための手段】
【０００６】
この発明に係る表示装置及び誘導灯装置は、天井等の取付面に固定するための被取付部が設けられた枠部を有し、この枠部の表面側を開口させるとともに、背面側に前記被取付部側を開口させて背面板を設けた器具本体と、導光体とこの導光体の側部から光を照射する光源部を有し前記枠部とほぼ同じ大きさで前記器具本体の表面側に取り付けられる表面表示手段と、導光体とこの導光体の側部から光を照射する光源部を有し前記枠部とほぼ同じ大きさで器具本体の背面板側に取り付けられる背面表示手段と、前記器具本体に収納され前記光源部を点灯させる電気的部品を有する点灯手段を備えたものである。
【発明の効果】
【０００７】
本発明の表示装置および誘導灯装置は、天井等の取付面に固定するための被取付部が設けられた枠部を有し、この枠部の表面側を開口させるとともに、背面側に前記被取付部側を開口させて背面板を設けた器具本体と、導光体とこの導光体の側部から光を照射する光源部を有し前記枠部とほぼ同じ大きさで前記器具本体の表面側に取り付けられる表面表示手段と、導光体とこの導光体の側部から光を照射する光源部を有し前記枠部とほぼ同じ大きさで器具本体の背面板側に取り付けられる背面表示手段と、前記器具本体に収納され前記光源部を点灯させる電気的部品を有する点灯手段を備えたので、取り付け作業のミスをより少なくしかつ低コストの表示装置及び誘導灯装置を得ることができる。
【発明を実施するための最良の形態】
【０００８】
実施の形態１．
図１はこの発明の実施の形態１を示す誘導灯装置の分解斜視図である。図に示すように、誘導灯装置は器具本体１と２枚の表示手段２ａ、２ｂで構成されている。
【０００９】
器具本体１は樹脂などで成形されており、周囲に四角形状の枠部３を備えている。枠部３の上枠部には、天井などの取付面に器具本体１を取り付ける際に電源線（図示しない）を挿通する電源線挿入孔１０および取付面に固定するためのネジ穴１１が形成されており、この電源線挿入孔１０とネジ穴１１とで被取付部１２が構成されている。また、枠部３の上枠部の内面側には天井取付用補強板１３が取り付けられている。
【００１０】
器具本体１の表示手段２ａ、２ｂを取り付ける面をそれぞれ表面、背面としたとき、枠部３の表面側は全面が開口している。なお、この実施の形態では枠部３の表面側は全面が開口しているが、表面側に枠部３を補強する補強板などを備えてもよい。
【００１１】
図２は誘導灯装置の器具本体１の背面斜視図である。図に示すように、器具本体１の背面側には、上方すなわち被取付部１２側が開口するように背面板４を下方に備えている。この実施の形態では、開口部は器具本体１の略半分となっているが、開口部の大きさは、器具本体１を天井などの取付面に取り付ける作業の際に背面板４が邪魔にならない程度、つまり作業者の手が入る程度の大きさであれば良い。
【００１２】
背面の上方には枠部３の補強のためにリブ５を備えているが、枠部３の強度が十分取れる場合はリブ５をなくしてもよい。
【００１３】
図１に示すように、器具本体１の枠部３内は電気部品収納部となっており、端子台６と点灯装置７（点灯手段）とバッテリー８が収納されている。端子台６は枠部３の側枠部の上方に備えられ、電子部品などで構成された点灯回路及び充電回路などの点灯装置７はネジなどで背面板４に固定され、端子台６と点灯装置７の間は電気配線である配線コード９にて電気的に接続されている。バッテリー８は枠部３の下枠部に固定している。
【００１４】
なお、本実施の形態では背面板４に点灯装置７を取り付けているが、これに限定されず枠部３の側枠部または下枠部に取り付けてもよい。
【００１５】
器具本体１の表面側に取り付けられる表面表示手段２ａは、枠部３とほぼ同じ大きさであり、光源部１４ａと表示部１５ａから構成されている。光源部１４ａは収容ケース１６ａの中に光源１８と反射板（図示せず）を備えるとともに表示部１５ａを取り付ける取付部を備えている。表示部１５ａは収容ケース１７ａ内に表示パネル、導光板（導光体）、反射板を備え、収容ケース１７ａの表示面から表示パネル、導光板（導光体）、反射板の順に収容している。収容ケース１７ａの一端（例えば図１の収容ケース１７ａの上端部）は光源部１４ａを取り付ける取付辺を備え、取付辺から入光した光は導光板の側部から導光板内に入り避難誘導のための図柄が表示された表示パネルを照射している。なお、表示パネルは行き先案内などの図柄でもよく、避難誘導のための図柄に限らない。
【００１６】
また、光源１８には蛍光ランプやＬＥＤなどが用いられ、この光源１８からの光を導光板方向に反射する反射板が取り付けられているが、十分な輝度を得られる場合などは反射板をなくしてもよい。
【００１７】
器具本体１の背面側に取り付けられる背面表示手段２ｂは、本実施の形態では表示手段２ａと同じ構成となっている。なお、器具本体１の構造によっては、取付片２７ｂの位置、表示部、光源部の大きさを適便変更するとよい。
【００１８】
誘導灯装置の天井への取り付けと組立てについて説明する。まず、器具本体１の枠部３の上枠部にある電源線挿入孔１０から電源線を挿通し、被取付部１２のネジ穴１１にネジを通して天井面に取り付ける。次に電源線挿入孔１０から挿通した電源線を端子台６に接続する。このとき、器具本体１の表面及び背面の上方が開口しているので、器具本体１の天井面への取り付けや電源線の端子台６への差し込みなどの作業の際に作業者の手を入れるスペースを広くでき、器具本体１が薄い場合（例えば厚さが５０ｍｍ以下の場合など）においても作業性を向上させている。具体的には、人の手の大きさは約１００ｍｍ程度で、Ｂ級の誘導灯の表示パネルの大きさが２００ｍｍ以上４００ｍｍ未満（消防法施行規則第２８条の３）であることから、背面板４の高さを枠部３の高さの略半分にするとよい。
【００１９】
なお、被取付部側が５０ｍｍ以上開口するように背面板４を備えれば開口部に作業者の指先を入れて取り付け作業などを行なうことができる。
【００２０】
次にバッテリー８の配線コード１９と点灯装置７の配線コード２０を接続する。点灯装置７からは先端にコネクタ２１を有する配線コード２０が引き出されている。バッテリー８から先端にコネクタ２２を有する配線コード１９が引き出され、コネクタ２１は前記コネクタ２２に取り付けられ電気的に接続しており、通常時は充電されていて停電などの非常時にバッテリー８から点灯装置７に電源を供給する。なお、寿命などの際バッテリー８の交換を容易にするためにコネクタ２１及び２２を介して接続しているが、交換が不要などの場合はコネクタ２１、２２を用いずに点灯装置７と直接配線してもよい。
【００２１】
次に、表面表示手段２ａの器具本体１への取り付けについて説明する。光源部１４ａを表示部１５ａに取り付けて表面表示手段２ａを構成し、光源部１４ａの配線コード２３ａを点灯装置７の配線コード２４ａに接続する。点灯装置７から先端にコネクタ２５ａを有する配線コード２４ａが器具本体１の表面の開口部から外部へ引き出され、光源部１４から引き出され先端部にコネクタ２６ａを有する配線コード２３ａに接続して光源１８に電力を供給している。
【００２２】
表面表示手段２ａの両側端部から表示面とは反対側に突出した取付片２７ａを備え、器具本体１の表面の両側端部に備えた係止部２８に嵌合させて表面表示手段２ａを器具本体１に固定する。なお、表面表示手段２ａの取り付けは器具本体１に固定できればよく、ネジなどで固定してもよい。
【００２３】
なお、コネクタ２５ａとコネクタ２６ａをそれぞれ接続した後、表面表示手段２ａを器具本体１へ取り付けたが、この実施の形態においては、器具本体１の背面側に手が挿入できる程度の開口部が形成されているので、表面表示手段２ａを器具本体１へ取り付けた後、器具本体１の背面側の開口部から作業者が手を挿入しコネクタ２５ａとコネクタ２６ａをそれぞれ接続することもできる。
【００２４】
また、表示部１５ａを先に器具本体１へ取り付け、光源部１４ａを後から器具本体１へ取り付けて表面表示手段２ａを構成してもよく、この場合、表示部１５ａを器具本体１へ取り付けた後、光源部１４ａを器具本体１へ取り付け、器具本体１の背面側の開口部から作業者が手を挿入しコネクタ２５ａとコネクタ２６ａをそれぞれ接続してもよい。
【００２５】
また、点灯装置７の配線コード２４ａを器具本体１の表面側の開口部より引き出し、光源部１４ａが取り付けられる位置が開口するように表示部１５ａを器具本体１の表面に取り付け、器具本体１の表面側の開口部から引き出された配線コード２４ａを光源部１４ａの配線コード２３ａと接続した後で、光源部１４ａを器具本体１の表面側の開口部に取り付けてもよい。
【００２６】
次に背面表示手段２ｂの取り付けについて説明する。点灯装置７から引き出された他の配線コード２４ｂは器具本体１の背面の開口部から外部へ引き出され、背面表示手段２ｂの光源部１４ｂから引き出され先端部にコネクタ２６ｂを有する配線コード２３ｂに接続して光源に電力を供給している。
【００２７】
背面表示手段２ｂの両側端部から表示面とは反対側に突出した取付片２７ｂを備え、器具本体１の表面の両側端部に備えた係止部２８に嵌合させて背面表示手段２ｂを器具本体１に固定する。なお、背面表示手段２ｂの取り付けは器具本体１に固定できればよく、ネジなどで固定してもよい。
【００２８】
なお、器具本体１の表面及び背面に取り付ける表示手段２ａ、２ｂを同一形状である場合を説明したが、取付片２７ａ、２７ｂの位置を変更するなど表示手段の形状を異なるものとしてもよい。
【００２９】
また、表示部１５ｂを先に器具本体１へ取り付け、光源部１４ｂを後から器具本体１へ取り付けて表示手段２を構成するようにしてもよい。その場合は、まず、点灯装置７の配線コード２４ｂを器具本体１の背面側の開口部より引き出し、光源部１４ｂが取り付けられる位置が開口するように表示部１５ｂを器具本体１の背面に取り付け、次に、器具本体１の背面側の開口部から引き出された配線コード２４ｂを光源部１４ｂの配線コード２３ｂと接続し、光源部１４ｂを器具本体１の背面側の開口部に取り付ける。
【００３０】
以上のように、器具本体１の背面側には、上方すなわち被取付部１２側が開口するように背面板４を下方に備えたので、作業者が両面の器具なのに片面の器具と誤って背面の背面表示手段２ｂを取り付けずに終わったり、片面用の器具を設置すべきところ、例えば表面の表面表示手段２ａのみ付けた状態で器具本体１の背面を壁に固定してしまうなどの設置工事ミスが無くなる。
【００３１】
また、器具本体１の背面側には、上方すなわち被取付部１２側が開口するように背面板４を下方に備えたので、器具本体１の枠部３の厚さが薄くても作業者が被取付部１２を天井に取り付ける、または電源線を端子台６に配線する作業を行なう作業空間を確保できる。
【００３２】
また、器具本体１の背面側には、上方すなわち被取付部１２側が開口するように背面板４を下方に備えたので、点灯装置７と光源部１４ａ、１４ｂをそれぞれ電気接続するコネクタ２５ａとコネクタ２６ａ、コネクタ２５ｂとコネクタ２６ｂの接続が容易にできる。
【００３３】
また、器具本体１の背面側には、上方すなわち被取付部１２側が開口するように背面板４を下方に備えたので、光源１８が背面板４によって密閉されず、放熱部材などを装着することなく光源１８の放熱作用を得ることができる。
【００３４】
また、器具本体１の背面側には、上方すなわち被取付部１２側が開口するように背面板４を下方に備えたので、背面板４を小さくするができ材料費を削減できる。
【００３５】
実施の形態２．
図３は発明の実施の形態２における誘導灯装置の背面斜視図である。図に示すように、この実施の形態においては、器具本体１の背面の被取付部側を開口させるために、器具本体１の背面側に十字状の背面板４を備えている。器具本体１は枠部３を備えていて、枠部３の上部は天井などに取り付ける被取付部１２を備えている。被取付部１２はネジ穴１１と器具本体１の外部から内部に電源線を挿入するための電源線挿入孔１０を備えている。また、枠部３の表面側は開口していて、背面側は四隅が開口するように背面板４を十字状に形成し、被取付部１２のネジ穴１１の近傍が開口するように設けている。
【００３６】
背面側の上方の被取付部１２側のうち特にネジ穴１１の近傍が作業者の手が入る程度の大きさで開口するように背面板４を形成しているので、天井へ取り付ける取付ネジを固定する際に、作業者の手が背面板４に当たらず作業性を向上させることができる。また、枠部３の上下をつなげるように背面板４を形成したので、枠部の上下方向の強度を保つこともできる。
【００３７】
なお、本実施の形態では背面板を十字状に形成したが、枠部の上方と側部を接続した形状（例えば凸字状など）に形成してもよい。また、ネジ穴１１の位置にあわせて開口部が形成されるように背面板４の形状を適便変更するとよい。
【００３８】
実施の形態３．
図４は発明の実施の形態３における誘導灯装置の背面斜視図である。図に示すように、この実施の形態においては、器具本体１の背面の被取付部側（この実施の形態では上方）を開口させるとともに、被取付部側と反対側（この実施の形態では下方）も開口するように器具本体１の背面側の中央部のみに背面板４を備えている。
【００３９】
器具本体１の表面側は開口し、背面側は上方及び下方を開口するように背面板４が取り付けられている。
【００４０】
器具本体１の枠部３内は電気部品収納部となっており、端子台６と点灯装置７とバッテリー８が収容されている。端子台６は枠部３の側枠部の上方に備えられ、電子部品などで構成された点灯回路及び充電回路などの点灯装置７はネジなどで背面板４に固定され、端子台６と点灯装置７の間は電気配線である配線コード９にて電気的に接続されている。バッテリー８は枠部３の下枠部に固定されている。
【００４１】
なお、本実施の形態では背面板４に点灯装置７を取り付けているが、これに限定されず枠部３の側枠部または下枠部などに取り付けてもよい。
【００４２】
器具本体１の背面の上方を開口することで、配線コード２５ｂのコネクタ２６ｂと配線コード２４ｂのコネクタ２７ｂとを接続しやすく、また光源１８が密閉されることがないので放熱部材などを用いることなく放熱効果が得られ、また天井面に取り付ける取り付け作業性を向上させている。
【００４３】
器具本体１の背面の下方をバッテリー８などの厚み（例えば１５ｍｍなど）よりも大きく開口することで、バッテリー８の交換などメンテナンスを行なう際、器具本体１の表面、背面を確認することなくいずれかの表示手段２ａ、２ｂを取り外せば容易に交換作業が行なうことができる。
【００４４】
実施の形態４．
図５は発明の実施の形態４における誘導灯装置の背面斜視図であり、器具本体１の表面側および背面側のほぼ全体、すなわち枠部とほぼ同じ大きさで開口した場合を示している。
【００４５】
また、器具本体１の枠部３の補強の為に、背面側の開口部の四隅にリブ５を設けている。なお、この実施の形態においては器具本体１の背面側の枠部３の四隅にリブ５を設けたが、表面側と背面側の中間部、例えば枠部３の枠体の厚さ方向に対して中央近傍などに設けてもよく、また枠部３に強度がある場合はリブ５を設けなくてもよい。
【００４６】
器具本体１の枠部３内は電気部品収納部となっており、端子台６と点灯装置７とバッテリー８が収容されている。端子台６は枠部３の側枠部の上方に備えられ、電子部品などで構成された点灯回路及び充電回路などの点灯装置７はネジなどで枠部３の側枠部に固定され、端子台６と点灯装置７の間は電気配線である配線コード９にて電気的に接続されている。バッテリー８は枠部３の下枠部に固定されている。
【００４７】
器具本体１の表面側、背面側ともに開口することで、取り付け作業空間が十分にとれるとともに、バッテリー８の交換などメンテナンスを行なう際、器具本体１の表面、背面を確認することなくいずれかの表示手段２を取り外せば容易に交換作業が行なうことができる。また、背面板４をなくすことで材料費を削減でき低コストになる。
【００４８】
実施の形態５．
図６は発明の実施の形態５における誘導灯装置の分解斜視図であり、器具本体１の側枠に被取付部１２を備え、器具本体１の表面側は開口し、背面側は側枠の被取付部１２側が開口するように背面板４を備えている。
【００４９】
被取付部を側枠に備え、背面側は側枠の被取付部１２側が開口するように背面板４を備えているので、壁などの垂直な取付面に取り付ける際の作業性がよい。
【図面の簡単な説明】
【００５０】
【図１】この発明の実施の形態１を示す誘導灯装置の分解斜視図である。
【図２】この発明の実施の形態１を示す誘導灯装置の器具本体の背面斜視図である。
【図３】この発明の実施の形態２を示す誘導灯装置の器具本体の背面斜視図である。
【図４】この発明の実施の形態３を示す誘導灯装置の器具本体の背面斜視図である。
【図５】この発明の実施の形態４を示す誘導灯装置の器具本体の背面斜視図である。
【図６】この発明の実施の形態５を示す誘導灯装置の器具本体の分解斜視図である。
【符号の説明】
【００５１】
１  器具本体、２ａ  表面表示手段、２ｂ  背面表示手段、３  枠部、４  背面板、５  リブ、６  端子台、７  点灯装置、８  バッテリー、９  配線コード、１０  電源線挿入孔、１１  ネジ穴、１２  被取付部、１３  天井取付用補強板、１４ａ、１４ｂ  光源部、１５ａ、１５ｂ  表示部、１６ａ、１６ｂ、１７ａ、１７ｂ  収容ケース、１８  光源、１９、２０  配線コード、２１、２２  コネクタ、２３ａ、２３ｂ、２４ａ、２４ｂ  配線コード、２５ａ、２５ｂ、２６ａ、２６ｂ  コネクタ、２７ａ、２７ｂ  取付片、２８  係止部。
【図１】
2005077800.tif 000003
【図２】
2005077800.tif 000004
【図３】
2005077800.tif 000005
【図４】
2005077800.tif 000006
【図５】
2005077800.tif 000007
【図６】
2005077800.tif 000008